(57)【要約】【課題】ブローニフィルム給送において、バーコードリードの誤読およびフィルム走行の蛇行に伴うデート写し込みの位置ズレを防止できるフィルム給送機構を提供する。【解決手段】ブローニフィルム給送経路にバーコードリード・デート写込みユニット７が配置されている。該ユニット７はブローニフィルム３のテープ１２の部分が給送されてくると、その部分に押されて時計方向に回転する。常にユニット７の接触面にブローニフィルム３が接触している状態が確保できるので、バーコード読み込み時の焦点ズレが生じることはない。また、フィルムの幅方向の蛇行を防止する溝がユニット７に設けられているので、デート写込み位置も常に一定位置となる。【選択図】　　　　図１
2004045878.tif 000002
【特許請求の範囲】
【請求項１】
ブローニフィルムを巻き上げ，巻き戻しするフィルムローラ，スプール等を有し、フィルム巻き上げ経路途中に、フィルム上のバーコードを読み込むためのバーコード検知部およびフィルムにデートを写込むためのモジュールが配置されるブローニフィルムカメラのフィルム給送機構において、
前記バーコード検知部およびデート写込みモジュールを搭載したユニットを、フィルム給送経路に沿った外側位置であって、一端を支点にしフィルム側方向に移動習性を与えた状態で揺動可能に設け、
給送されるフィルム面により前記ユニットが押された場合、前記ユニットが前記支点を中心に追従可動するように構成したことを特徴とするフィルム給送機構。
【請求項２】
前記ユニットのフィルムローラに対面する面には、前記リーダ紙または裏紙の幅方向の揺動を規制する第１のガイド溝と該第１のガイド溝に連設され、前記フィルムの幅方向の揺動を規制する第２のガイド溝を設けたことを特徴とする請求項１記載のフィルム給送機構。
【請求項３】
前記ユニットの一部に回転ローラを設け、該回転ローラに前記リーダ紙または裏紙の幅方向の揺動を規制する第１のガイド溝と該第１のガイド溝に連設され、前記フィルムの幅方向の揺動を規制する第２のガイド溝を形成し、前記リーダ紙または裏紙およびフィルムの端部を第１および第２のガイド溝に沿って回転案内するように構成したことを特徴とする請求項１記載のフィルム給送機構。
【請求項４】
前記フィルム給送機構はオメガロードタイプであること特徴とする請求項１，２または３記載のフィルム給送機構。
【発明の詳細な説明】
【０００１】
【発明の属する技術分野】
本発明は、オメガロードタイプなどのブローニフィルムカメラのフィルム給送機構に関する。
【０００２】
【従来の技術】
ブローニフィルムカメラは駒寸法が６×４．５（ｍｍ），６×６（ｍｍ）などの大判カメラであり、ブローニフィルムであるためカメラのフィルム給送は特別な機構を採用している。
以下、ブローニフィルムカメラの各機構，フィルム形状を説明し、フィルム給送機構の問題点に言及する。
【０００３】
図５は、ブローニフィルムカメラのシステム例を示す概略図である。
ボディ本体４１に対し交換式テーキングレンズ４２が装脱着可能になっている。また、交換式ファインダユニット４３がボディ本体４１の上部に装着する構造となっている。さらにブローニフィルムを巻き上げ給送する機構を構成する交換式フィルムボックス４９がボディ本体４１の背面に装着されるようになっている。交換式テーキングレンズ４２を通過した被写体からの光はボディ本体４１のメインミラー４５で反射され、交換式ファインダユニット４３のプリズム４４に導かれ、ユーザは接眼部から被写体の構図を観察することができる。
【０００４】
シャッタレリーズによりメインミラー４５はアップし、図示しないプレーンシャッタが走りアパーチャー５０上のブローニフィルム４６に露光し撮影が完了する。交換式フィルムボックス４９内のフィルム給送機構はオメガタイプであり、２つのスプール４０，４７は近接して設けられている。
未露光フィルムはスプール４７より外位置に設けられたローラ３８を介して巻き上げられ、アパーチャー５０を通り、スプール４０より外位置に設けられたローラ３９を経由してスプール４０に巻き取られる。
フィルム装填時にフィルム情報を得るため、フィルムの先頭付近に設けられているバーコードの読み取り動作を行い、さらに撮影毎にデートの写込みが行われる。
【０００５】
図６および図７は、ブローニフィルム２２０タイプおよび１２０タイプの形状を示す図である。
２２０タイプは１２０タイプの倍の長さがあり、例えば１２０タイプで１６枚撮影可能であれば、２２０タイプは３２枚撮影できることになる。
図６において、ブローニフィルム２２０タイプはフィルム部５４の先端と後端がリーダ紙５１とトレーラ紙５２の端部にそれぞれ重ねて貼り付けられている。フィルム部５４およびリーダ紙５１とトレーラ紙５２の重ね合わせ部分にはテープ５３，５３が貼付されている。先端側のテープには、フィルムの情報を書き込んだバーコード部５５が記されている。
リーダ紙５１の紙幅ａの寸法はフィルム部５４の幅ｂより少し大きい。
【０００６】
一方、図７におけるブローニフィルム１２０タイプは、１枚の裏紙６６の上にフィルム部６４を載せたもので、フィルム部６４の先端にバーコード部６５を有するテープ６３が貼付されている。
フィルム部６４先端部の手前部分は裏紙６６のリーダ部６１であり、フィルム後端部の後ろ部分は裏紙６６のトレーラ部６２である。裏紙６６の紙幅ａの寸法は図６と同様にフィルム部６４の幅ｂより少し大きい。
紙とフィルム部の境目にテープを貼付するのは、裏紙，リーダー紙へのフィルムを保持することと、この紙を利用してバーコードを設けることが目的である。
【０００７】
図８はブローニフィルムの特性を説明するための斜視図である。
フィルムはスプールに巻かれているため裏紙のリーダ部を巻き上げたとき、カール方向に丸くるなるような巻き習性がついている。そのため、ローラを介してアパーチャー部，さらにローラを介してスプールに巻き上げを行うと、２枚重ね部分と裏紙のリーダ部６１のテープ６３貼付部分が巻き上げ経路中で曲げぐせが取り除けなくなるという問題がある。
【０００８】
【発明が解決しようとする課題】
図９はバーコードリード，デート写込み部の従来例を示す部分断面図である。バーコードリードセンサ７２およびその背後に配置される写込みモジュールは、ＦＢ（フィルムボックス）ケース６８に固定配置されている。配置位置は巻き上げ側のフィルムローラ６９の円周面に対面する位置である。アパーチャーと圧板７０の間を通ってフィルムローラ６９で案内されてくるフィルムのバーコード部がバーコードリードセンサ７２の検出孔に達すると、バーコードリードセンサ７２から読み取りのための光が発射され、バーコードで反射した光をセンサで読み取るように動作する。このときの実際のブローニフィルムの形状の変化を図１０に示してある。
【０００９】
バーコードを記したテープ部分は、フィルムローラ６９により大きく方向を変えられるため、図１０（ａ）の７１ａに示すようにテープ部分は折れた状態でバーコードリードセンサ部分を通過することとなる。図１０（ｂ）にＦローラに送られてくるテープ部分の動きを示す。図から明らかなようにテープ部分はそのまま折れた状態でスプール側に巻き取られていくことになる。
このため、バーコードが本来検出する位置よりもセンサ側に近づいた位置にテープの折れ曲がった部分が通り、センサのピント外れが生じ誤読み取りされるという恐れがある。
【００１０】
図１１に、図９の従来のフィルム給送機構をフィルムボックスケースの背面から見た図を示す。
バーコードリードセンサ７２に並行にデート写込みモジュール７６が設けられている。フィルムローラ６９の表面に裏紙７５が接しており、その上にフィルム７１が載っている。裏紙７５の左右の動きは、フィルムローラ６９の外側に設けられているフィルムボックス中枠ケース７３の先端７３ａで規制されるようになっている。先端７３ａ，７３ａの間隔は裏紙７５の紙幅ａより僅かに大きい寸法であり、この間隔部分に裏紙を挟んで給送する。
【００１１】
そのため、裏紙より幅が狭いフィルム自体は幅方向でガイドすることができずミリ単位で蛇行してしまうという欠点があった。
本発明の目的はブローニフィルム給送において、バーコードリードの誤読およびフィルム走行の蛇行に伴うデート写し込みの位置ズレを防止できるフィルム給送機構を提供することにある。
【００１２】
【課題を解決するための手段】
前記目的を達成するために本発明によるフィルム給送機構は、ブローニフィルムを巻き上げ，巻き戻しするフィルムローラ，スプール等を有し、フィルム巻き上げ経路途中に、フィルム上のバーコードを読み込むためのバーコード検知部およびフィルムにデートを写込むためのモジュールが配置されるブローニフィルムカメラのフィルム給送機構において、前記バーコード検知部およびデート写込みモジュールをともに搭載したユニットを、フィルム給送経路に沿った外側位置であって、一端を支点にしフィルム側方向に移動習性を与えた状態で揺動可能に設け、給送されるフィルム面により前記ユニットが押された場合、前記ユニットが前記支点を中心に追従可動するように構成されている。
本発明における前記ユニットのフィルムローラに対面する面には、前記リーダ紙または裏紙の幅方向の揺動を規制する第１のガイド溝と該第１のガイド溝に連設され、前記フィルムの幅方向の揺動を規制する第２のガイド溝を設けて構成されている。
本発明は上記構成において、前記ユニットの一部に回転ローラを設け、該回転ローラに前記リーダ紙または裏紙の幅方向の揺動を規制する第１のガイド溝と該第１のガイド溝に連設され、前記フィルムの幅方向の揺動を規制する第２のガイド溝を形成し、前記リーダ紙または裏紙およびフィルムの端部を第１および第２のガイド溝に沿って回転案内するように構成されている。
本発明におけるフィルム給送機構はオメガロードタイプに適用することができる。
【００１３】
【作用】
上記構成によれば、リード紙または裏紙とフィルム先端との境界部分に貼付されたテープの曲がり具合に対応してバーコードリード・デート写込みユニットの接触面が揺動するため、バーコードセンサの安定した読み取り動作を確保できる。また、フィルム幅方向の蛇行をフィルムを規制する溝で抑制するため、デートの写込み位置を安定化できる。
【００１４】
【発明の実施の形態】
以下、図面を参照して本発明の実施の形態を詳しく説明する。
図１は、本発明によるフィルム給送機構の実施の形態を示す図で、（ａ）はフィルムボックスケースの右側断面図，（ｂ）は同背面部分断面図である。
この実施の形態はオメガロードタイプのブローニフィルム給送機構の例である。フィルムボックスケース１は中央にアパーチャー部１ａを有しボディ本体に装着される面にはボディ取付部６が設けられている。ブローニフィルム３を出し入れするための裏蓋５は軸５ａを支点に回転し開閉できるようになっている。
フィルムボックスケース１の中央には供給側スプール８ａと巻き上げ側スプール８ｂが配置されている。
【００１５】
一方、２つのスプールの間隔より広い間隔でアパーチャー面側に沿って供給側フィルムローラ２ａと巻き上げ側フィルムローラ２ｂがフィルムの案内ガイドとして設けられている。供給側スプール８ａから延出されるフィルムは供給側フィルムローラ２ａを経由し、圧板４により押圧されながらアパーチャー１ａ部分を通り、巻き上げ側フィルムローラ２ｂを介して巻き上げ側スプール８ｂに巻き取られる。巻き上げ側フィルムローラ２ｂに対面する部分にバーコードリード・デート写込みユニット７が設置されている。バーコードリード・デート写込みユニット７は回転軸７ａを支点に揺動可能であり、スプリング１４（図２（ｂ）参照）により矢印９方向（巻き上げ側フィルムローラ２ｂ方向）付勢され、フィルムを巻き上げ側フィルムローラ２ｂの円周面に押し当てている。
【００１６】
バーコードリード・デート写込みユニット７にはバーコードリードセンサ１０とデート写込みレンズ・モジュール１１が搭載されている。バーコードリードセンサ１０は、巻き上げられるフィルムのテープ１２のバーコード１２ａに対応する位置に設けられ、フィルム情報を読み込む。また、デート写込みレンズ・モジュール１１はフィルムの下端付近に対応する位置に設けられ、巻き上げ時、フィルムにデートを写込む。
【００１７】
図２は、図１のバーコードリード・デート写込みユニットの機構を説明するための図で、（ａ）はバーコードリード・デート写込みユニット周辺の断面図，（ｂ）はバーコードリード・デート写込みユニットの断面図，（ｃ）および（ｄ）はバーコードリード・デート写込みユニットの動作を説明するための図である。図２（ａ）において、発光部１３ａからの光はブローニフィルム３のテープバーコードで反射し、反射光はセンサ１３ｂで読み取られ、フィルムの種類，長さなどの情報が読み取られる。
図２（ｂ）に示すように回転軸７ａにスプリング１４が取り付けられ、バーコードリード・デート写込みユニット７が上述したように矢印９方向に付勢されている。ブローニフィルム３の面は接触部７ｂに接触した状態であり、バーコードリード・デート写込みユニット７の突起部７ｃがフィルムボックスケースの係合部１ｂに押し当てられ係止されている。
【００１８】
図２（ｃ）は図２（ｂ）と同じ状態であり、バーコードが記されたテープ３ａは巻き上げ側フィルムローラ２ｂの接触面の手前位置まで達している。テープ３ａの部分はかなり折れ曲がった状態となっている。この状態からさらに巻き上げられ、テープ３ａ部分がバーコードリード・デート写込みユニット７の接触部７ｂに当たると、バーコードリード・デート写込みユニット７は折れ曲がった部分で押され、スプリングの付勢力に抗して矢印１５方向に回転し、（ｄ）の状態となる。この状態はテープ３ａの折れ曲がった部分がバーコードリード・デート写込みユニット７の接触部７ｂに接触している。そのため、バーコードの反射面からセンサ１３までの距離は（ｃ）の状態と変わらず、焦点距離が変動することはないので、バーコードを確実に読み込むことができる。
テープ３ｂ部分が通過した後は（ｃ）の状態に戻る。
【００１９】
図３は、本発明によるフィルム給送機構のバーコードリード・デート写込みユニットの他の実施の形態を示す図で、（ａ）は背面断面図，（ｂ）は平面図である。
この実施の形態は、図１の構成に加えて裏紙，フィルムの幅方向を規制する手段を設けたものである。
バーコードリード・デート写込みユニット１５のフィルムに接触するアプローチガイド２４は、中央部に設けられた溝１８，溝１８の両端に形成された裏紙規制用ガイド１９およびフィルム規制用ガイド２０より構成される。
裏紙規制用ガイド１９の間隔２３は裏紙の幅より僅かに大きい寸法である。また、フィルム規制用ガイド２０の間隔２２もフィルムの幅より僅かに大きい寸法である。溝１８の上に形成されている孔１６および１７はバーコードセンサの孔である。
【００２０】
アプローチガイド２４の裏紙規制用ガイド１９の先端部１９ａおよびフィルム規制用ガイド２０の先端部２０ａは傾斜構造となっており、裏紙およびフィルムが円滑に裏紙規制用ガイド１９およびフィルム規制用ガイド２０に導かれるようになっている。
したがって、フィルム自体も直接左右の蛇行が抑制されるため、フィルムのデート写込み位置にバラつきが生ぜず、常に画面の外の所定位置にデートの写込みができる。
【００２１】
図４は、本発明によるフィルム給送機構のバーコードリード・デート写込みユニットのさらに他の実施の形態を示す図で、（ａ）は背面断面図，（ｂ）は平面図である。
この実施の形態は、裏紙，フィルムを案内するガイドを回転案内するようにしたものである。
バーコードリード・データ写込みユニット２５の裏紙，フィルムを案内する位置にローラ２６が設けられている。ローラ２６は、裏紙の幅方向を規制するガイド２６ａと、フィルムの幅方向を規制するガイド２６ｂを有している。
【００２２】
バーコードリード・データ写込みユニット２５はこのローラ２６の手前位置の裏紙規制用ガイドの先端部２５ａおよびフィルム規制用ガイドの先端部２５ｂが傾斜構造となっており、裏紙，フィルムの端部は上記ローラ２６のガイド２６ａ，２６ｂに導かれる。
この実施の形態は裏紙，フィルムの端部を摺動ではなく回転により案内している。したがって、フィルムにキズが付くことはなく、また駆動抵抗も小さい。
【００２３】
以上の他にバーコードリード・データ写込みユニット自体を、フィルムの幅方向の全体の蛇行の負荷を軽減させるため、左右方向に揺動するように構成することもできる。
【００２４】
【発明の効果】
以上、説明したように本発明は、ブローニフィルムカメラのフィルム給送機構において、バーコード検知部およびデート写込みモジュールを搭載したユニットを、フィルム給送経路に沿った外側位置であって、一端を支点にしフィルム側方向に移動習性を与えた状態で揺動可能に設け、給送されるフィルム面によりユニットが押された場合、ユニットが支点を中心にフィルム面の動きに追従するものである。
従来の構成ではフィルムローラをフィルムが通過する際、逆カールとなり、フィルムのテープ部分が膨らみセンサのピント位置がずれることがあった。本発明によれば、ユニットのフィルム接触面がフィルムの動きに合わせて回転し常にフィルム面に接する状態を形成できるので、ピント位置ズレが生じることはなくバーコードを安定して読み取ることができる。
また、裏紙だけでなく、フィルムに対しても幅方向にガイドを設け左右の動きを規制して案内するので、フィルムの蛇行は抑制され、正確な位置に確実にデートを写込むことができ、フィルムの画面内にデートが入り込むというようなことは回避できる。
【図面の簡単な説明】
【図１】本発明によるフィルム給送機構の実施の形態を示す図で、（ａ）はフィルムボックスケースの右側断面図，（ｂ）は同背面部分断面図である。
【図２】図１のバーコードリード・デート写込みユニットの機構を説明するための図で、（ａ）はバーコードリード・デート写込みユニット周辺の断面図，（ｂ）はバーコードリード・デート写込みユニットの断面図，（ｃ）および（ｄ）はバーコードリード・デート写込みユニットの動作を説明するための図である。
【図３】本発明によるフィルム給送機構のバーコードリード・デート写込みユニットの他の実施の形態を示す図で、（ａ）は背面断面図，（ｂ）は平面図である。
【図４】本発明によるフィルム給送機構のバーコードリード・デート写込みユニットのさらに他の実施の形態を示す図で、（ａ）は背面断面図，（ｂ）は平面図である。
【図５】ブローニフィルムカメラのシステム例を示す概略図である。
【図６】ブローニフィルム２２０タイプの形状を示す図である。
【図７】ブローニフィルム１２０タイプの形状を示す図である。
【図８】ブローニフィルムの特性を説明するための斜視図である。
【図９】バーコードリードデート写込み部の従来例を示す部分断面図である。
【図１０】従来のバーコードリードデート写込み部の読取方法を説明するための図である。
【図１１】従来のフィルム給送機構の走行状態を説明するためのフィルムボックスケースの背面図である。
【符号の説明】
１　フィルムボックスケース（ＦＢケース）
２ａ　供給側フィルムローラ
２ｂ　巻上側フィルムローラ
３，４６　ブローニフィルム
４，４８　圧板
５　裏蓋
６　ボディ取付部
７　バーコードリード，デート写込みユニット
８ａ　供給側スプール
８ｂ　巻上側スプール
１０　バーコードリードセンサ
１１，２１　デート写込みレンズ，モジュール
１４　スプリング
１９　裏紙規制用ガイド
２０　フィルム規制用ガイド
２４　アプローチガイド
４１　ボディ本体
４２　交換式テーキングレンズ
４３　交換式ファインダユニット
４４　プリズム
４５　メインミラー
４７　スプール
４９　交換式フィルムボックス
５０　アパーチャー
５１　リーダ紙
５２　トレーラ紙
５３，６３　テープ
５４，６４　フィルム部
５５，６５　バーコード部
６１　リーダ部
６２　トレーラ部
【図１】
2004045878.tif 000003
【図２】
2004045878.tif 000004
【図３】
2004045878.tif 000005
【図４】
2004045878.tif 000006
【図５】
2004045878.tif 000007
【図６】
2004045878.tif 000008
【図７】
2004045878.tif 000009
【図８】
2004045878.tif 000010
【図９】
2004045878.tif 000011
【図１０】
2004045878.tif 000012
【図１１】
2004045878.tif 000013